(57)【特許請求の範囲】
【請求項１】
無線通信のための方法であって、
ドナー基地局によるチャネル状態情報−基準信号（ＣＳＩ−ＲＳ）の送信またはミュートのうちの少なくとも１つのために使用されるリソース要素（ＲＥ）のコンフィギュレーションを、リレー・ノードにおいて決定することと、
前記ドナー基地局から送信されたリレー制御情報に関するＲＥのセットを復号することと、ここで、前記ＲＥのセットは、前記コンフィギュレーションに基づいて決定される、
を備え、
前記コンフィギュレーションを決定することは、前記リレー・ノードおよび前記ドナー基地局において知られている、予め定められたリソースのセットにおいて、前記ドナー基地局によって送信されたコンフィギュレーション情報を復号することを備える、方法。
【請求項２】
前記コンフィギュレーションを決定することは、ＣＳＩ−ＲＳが前記ドナー基地局によって送信されない、ＲＥのセットを決定することを備える、請求項１に記載の方法。
【請求項３】
前記コンフィギュレーションを決定することは、前記ドナー基地局が送信を控えることによってミュートしないＲＥを決定することを備える、請求項１に記載の方法。
【請求項４】
前記コンフィギュレーションを決定することは、１または複数のシステム情報ブロック（ＳＩＢ）を復号することを備える、請求項１に記載の方法。
【請求項５】
前記１または複数のＳＩＢの位置は、別のデータ送信に関する情報を取得するために使用される、第２の制御チャネルとは異なる第１の制御チャネルを復号することによって決定される、請求項４に記載の方法。
【請求項６】
前記第１の制御チャネルは、物理ダウンリンク制御チャネル（ＰＤＣＣＨ）であり、前記第２の制御チャネルは、中継物理ダウンリンク制御チャネル（Ｒ−ＰＤＣＣＨ）である、請求項５に記載の方法。
【請求項７】
前記コンフィギュレーションを決定することは、前記コンフィギュレーションを取得するためにユーザ機器（ＵＥ）によって使用される手順を前記リレー・ノードが用いることを備える、請求項１に記載の方法。
【請求項８】
前記コンフィギュレーションを決定することは、ＣＳＩ−ＲＳまたはミュートされたＲＥのうちの少なくとも１つを欠くサブフレームに対応するレート・マッチングを用いてコンフィギュレーション情報を復号することを備える、請求項１に記載の方法。
【請求項９】
前記リレー・ノードが、前記コンフィギュレーション情報を有することを期待されている前後において、前記リレー・ノードによって復号されねばならない制御送信またはデータ送信のうちの少なくとも１つのために、異なるレート・マッチング・スキームが使用される、請求項８に記載の方法。
【請求項１０】
前記コンフィギュレーションを決定することは、ＣＳＩ−ＲＳおよびミュートされたＲＥを欠くサブフレームに対応するレート・マッチングを用いてコンフィギュレーション情報を復号することを備える、請求項８に記載の方法。
【請求項１１】
前記コンフィギュレーションを決定することは、ＣＳＩ−ＲＳまたはミュートのうちの少なくとも１つの少なくとも２つの異なるコンフィギュレーションに対応する少なくとも２つの異なるレート・マッチング・コンフィギュレーションを用いて、コンフィギュレーション情報を復号することを備える、請求項１に記載の方法。
【請求項１２】
無線通信のための方法であって、
ドナー基地局によるチャネル状態情報−基準信号（ＣＳＩ−ＲＳ）の送信またはミュートのうちの少なくとも１つのために使用されるリソース要素（ＲＥ）のコンフィギュレーションを、リレー・ノードへシグナルすることと、
前記ＲＥのコンフィギュレーションに基づいて、サブフレームのデータ部分で、リレー制御情報を前記リレー・ノードへ送信することと、
を備え、
前記コンフィギュレーションをシグナルすることは、前記リレー・ノードによって知られている、予め定められたリソースのセットで、前記コンフィギュレーションを送信することを備える、方法。
【請求項１３】
前記コンフィギュレーションは、ＣＳＩ−ＲＳまたはミュートのうちの少なくとも１つを欠くサブフレームにおいてのみ送信される、請求項１２に記載の方法。
【請求項１４】
前記コンフィギュレーションは、ＣＳＩ−ＲＳおよびミュートを欠くサブフレームにおいてのみ送信される、請求項１３に記載の方法。
【請求項１５】
前記コンフィギュレーションをシグナルすることは、ＣＳＩ−ＲＳまたはミュートのうちの少なくとも１つを欠くバックホール・サブフレームにおいて、ＣＳＩ−ＲＳまたはミュートのうちの少なくとも１つの再コンフィギュレーションをシグナルすることを備える、請求項１２に記載の方法。
【請求項１６】
前記ＲＥのコンフィギュレーションをシグナルすることはさらに、再コンフィギュレーションの前後において同じＣＳＩ−ＲＳおよびミュート・パターンを有するバックホール・サブフレームにおいて実行されるＣＳＩ−ＲＳまたはミュートのうちの少なくとも１つの再コンフィギュレーションをシグナルすることを備える、請求項１５に記載の方法。
【請求項１７】
前記コンフィギュレーションをシグナルすることは、制御情報およびデータ・メッセージを送信することを含み、
前記データ・メッセージが前記コンフィギュレーションを含み、前記制御情報が前記データ・メッセージの位置を特定する、請求項１２に記載の方法。
【請求項１８】
無線通信のための装置であって、
ドナー基地局によるチャネル状態情報−基準信号（ＣＳＩ−ＲＳ）の送信またはミュートのうちの少なくとも１つのために使用されるリソース要素（ＲＥ）のコンフィギュレーションを、リレー・ノードにおいて決定する手段と、
前記ドナー基地局から送信されたリレー制御情報に関するＲＥのセットを復号する手段と、ここで、前記ＲＥのセットは、前記コンフィギュレーションに基づいて決定される、
を備え、
前記コンフィギュレーションを決定する手段は、前記リレー・ノードおよび前記ドナー基地局において知られている、予め定められたリソースのセットにおいて、前記ドナー基地局によって送信されたコンフィギュレーション情報を復号する手段を備える、装置。
【請求項１９】
前記コンフィギュレーションを決定する手段は、ＣＳＩ−ＲＳが前記ドナー基地局によって送信されない、ＲＥのセットを決定する手段を備える、請求項１８に記載の装置。
【請求項２０】
前記コンフィギュレーションを決定する手段は、前記ドナー基地局が送信を控えることによってミュートしないＲＥを決定する手段を備える、請求項１８に記載の装置。
【請求項２１】
前記コンフィギュレーションを決定する手段は、１または複数のシステム情報ブロック（ＳＩＢ）を復号する手段を備える、請求項１８に記載の装置。
【請求項２２】
前記１または複数のＳＩＢの位置は、別のデータ送信に関する情報を取得するために、第２の制御チャネルとは異なる第１の制御チャネルを復号することによって決定される、請求項２１に記載の装置。
【請求項２３】
前記第１の制御チャネルは、物理ダウンリンク制御チャネル（ＰＤＣＣＨ）であり、前記第２の制御チャネルは、中継物理ダウンリンク制御チャネル（Ｒ−ＰＤＣＣＨ）である、請求項２２に記載の装置。
【請求項２４】
前記コンフィギュレーションを決定する手段は、前記コンフィギュレーションを取得するためにユーザ機器（ＵＥ）によって使用される手順を、前記リレー・ノードが用いることを備える、請求項１８に記載の装置。
【請求項２５】
前記コンフィギュレーションを決定する手段は、ＣＳＩ−ＲＳまたはミュートされたＲＥのうちの少なくとも１つを欠くサブフレームに対応するレート・マッチングを用いてコンフィギュレーション情報を復号する手段を備える、請求項１８に記載の装置。
【請求項２６】
前記リレー・ノードが、前記コンフィギュレーション情報を有することを期待されている前後において、前記リレー・ノードによって復号されねばならない制御送信またはデータ送信のうちの少なくとも１つのために、異なるレート・マッチング・スキームが使用される、請求項２５に記載の装置。
【請求項２７】
前記コンフィギュレーションを決定する手段は、ＣＳＩ−ＲＳおよびミュートされたＲＥを欠くサブフレームに対応するレート・マッチングを用いてコンフィギュレーション情報を復号する手段を備える、請求項２５に記載の装置。
【請求項２８】
前記コンフィギュレーションを決定する手段は、ＣＳＩ−ＲＳまたはミュートのうちの少なくとも１つの少なくとも２つの異なるコンフィギュレーションに対応する少なくとも２つの異なるレート・マッチング・コンフィギュレーションを用いて、コンフィギュレーション情報を復号する手段を備える、請求項１８に記載の装置。
【請求項２９】
無線通信のための装置であって、
ドナー基地局によるチャネル状態情報−基準信号（ＣＳＩ−ＲＳ）の送信またはミュートのうちの少なくとも１つのために使用されるリソース要素（ＲＥ）のコンフィギュレーションを、リレー・ノードへシグナルする手段と、
前記ＲＥのコンフィギュレーションに基づいて、前記サブフレームのデータ部分で、リレー制御情報を前記リレー・ノードへ送信する手段と、
を備え、
前記コンフィギュレーションをシグナルする手段は、前記リレー・ノードによって知られている、予め定められたリソースのセットで、前記コンフィギュレーションを送信する手段を備える、装置。
【請求項３０】
前記コンフィギュレーションは、ＣＳＩ−ＲＳまたはミュートのうちの少なくとも１つを欠くサブフレームにおいてのみ送信される、請求項２９に記載の装置。
【請求項３１】
前記コンフィギュレーションは、ＣＳＩ−ＲＳおよびミュートを欠くサブフレームにおいてのみ送信される、請求項３０に記載の装置。
【請求項３２】
前記コンフィギュレーションをシグナルする手段は、ＣＳＩ−ＲＳまたはミュートのうちの少なくとも１つを欠くバックホール・サブフレームにおいて、ＣＳＩ−ＲＳまたはミュートのうちの少なくとも１つの再コンフィギュレーションをシグナルする手段を備える、請求項２９に記載の装置。
【請求項３３】
前記ＲＥのコンフィギュレーションをシグナルする手段はさらに、再コンフィギュレーションの前後において同じＣＳＩ−ＲＳおよびミュート・パターンを有するバックホール・サブフレームにおいて実行されるＣＳＩ−ＲＳまたはミュートのうちの少なくとも１つの再コンフィギュレーションをシグナルする手段を備える、請求項３２に記載の装置。
【請求項３４】
前記コンフィギュレーションをシグナルする手段は、制御情報およびデータ・メッセージを送信する手段を含み、ここで、前記データ・メッセージが前記コンフィギュレーションを含み、前記制御情報が前記データ・メッセージの位置を特定する、請求項２９に記載の装置。
【請求項３５】
無線通信のための装置であって、
ドナー基地局によるチャネル状態情報−基準信号（ＣＳＩ−ＲＳ）の送信またはミュートのうちの少なくとも１つのために使用されるリソース要素（ＲＥ）のコンフィギュレーションを、リレー・ノードにおいて決定し、
前記ドナー基地局から送信されたリレー制御情報に関するＲＥのセットを復号する、ここで、前記ＲＥのセットは、前記コンフィギュレーションに基づいて決定される、
ように適合された少なくとも１つのプロセッサと、
前記少なくとも１つのプロセッサに接続されたメモリと、
を備え、
前記コンフィギュレーションを決定するように適合された少なくとも１つのプロセッサは、前記リレー・ノードおよび前記ドナー基地局において知られている、予め定められたリソースのセットにおいて、前記ドナー基地局によって送信されたコンフィギュレーション情報を復号することを備える、装置。
【請求項３６】
前記コンフィギュレーションを決定するように適合された少なくとも１つのプロセッサは、ＣＳＩ−ＲＳが前記ドナー基地局によって送信されない、ＲＥのセットを決定することを備える、請求項３５に記載の装置。
【請求項３７】
前記コンフィギュレーションを決定するように適合された少なくとも１つのプロセッサは、前記ドナー基地局が送信を控えることによってミュートしないＲＥを決定することを備える、請求項３５に記載の装置。
【請求項３８】
前記コンフィギュレーションを決定するように適合された少なくとも１つのプロセッサは、１または複数のシステム情報ブロック（ＳＩＢ）を復号することを備える、請求項３５に記載の装置。
【請求項３９】
前記１または複数のＳＩＢの位置は、別のデータ送信に関する情報を取得するために、第２の制御チャネルとは異なる第１の制御チャネルを復号することによって決定される、請求項３８に記載の装置。
【請求項４０】
前記第１の制御チャネルは、物理ダウンリンク制御チャネル（ＰＤＣＣＨ）であり、前記第２の制御チャネルは、中継物理ダウンリンク制御チャネル（Ｒ−ＰＤＣＣＨ）である、請求項３９に記載の装置。
【請求項４１】
前記コンフィギュレーションを決定するように適合された少なくとも１つのプロセッサは、前記コンフィギュレーションを取得するためにユーザ機器（ＵＥ）によって使用される手順を前記リレー・ノードが用いることを備える、請求項３５に記載の装置。
【請求項４２】
前記コンフィギュレーションを決定するように適合された少なくとも１つのプロセッサは、ＣＳＩ−ＲＳまたはミュートされたＲＥのうちの少なくとも１つを欠くサブフレームに対応するレート・マッチングを用いてコンフィギュレーション情報を復号することを備える、請求項３５に記載の装置。
【請求項４３】
前記リレー・ノードが、前記コンフィギュレーション情報を有することを期待されている前後において、前記リレー・ノードによって復号されねばならない制御送信またはデータ送信のうちの少なくとも１つのために、異なるレート・マッチング・スキームが使用される、請求項４２に記載の装置。
【請求項４４】
前記コンフィギュレーションを決定するように適合された少なくとも１つのプロセッサは、ＣＳＩ−ＲＳおよびミュートされたＲＥを欠くサブフレームに対応するレート・マッチングを用いてコンフィギュレーション情報を復号することを備える、請求項４２に記載の装置。
【請求項４５】
前記コンフィギュレーションを決定するように適合された少なくとも１つのプロセッサは、ＣＳＩ−ＲＳまたはミュートのうちの少なくとも１つの少なくとも２つの異なるコンフィギュレーションに対応する少なくとも２つの異なるレート・マッチング・コンフィギュレーションを用いて、コンフィギュレーション情報を復号することを備える、請求項３５に記載の装置。
【請求項４６】
無線通信のための装置であって、
ドナー基地局によるチャネル状態情報−基準信号（ＣＳＩ−ＲＳ）の送信またはミュートのうちの少なくとも１つのために使用されるリソース要素（ＲＥ）のコンフィギュレーションを、リレー・ノードへシグナルし、
前記ＲＥのコンフィギュレーションに基づいて、サブフレームのデータ部分で、リレー制御情報を前記リレー・ノードへ送信する
ように適合された少なくとも１つのプロセッサと、
前記少なくとも１つのプロセッサに接続されたメモリと、
を備え、
前記コンフィギュレーションをシグナルするように適合された少なくとも１つのプロセッサは、前記リレー・ノードによって知られている、予め定められたリソースのセットで、前記コンフィギュレーションを送信することを備える、装置。
【請求項４７】
前記コンフィギュレーションは、ＣＳＩ−ＲＳまたはミュートのうちの少なくとも１つを欠くサブフレームにおいてのみ送信される、請求項４６に記載の装置。
【請求項４８】
前記コンフィギュレーションは、ＣＳＩ−ＲＳおよびミュートを欠くサブフレームにおいてのみ送信される、請求項４７に記載の装置。
【請求項４９】
前記コンフィギュレーションをシグナルするように適合された少なくとも１つのプロセッサは、ＣＳＩ−ＲＳまたはミュートのうちの少なくとも１つを欠くバックホール・サブフレームにおいて、ＣＳＩ−ＲＳまたはミュートのうちの少なくとも１つの再コンフィギュレーションをシグナルすることを備える、請求項４６に記載の装置。
【請求項５０】
前記ＲＥのコンフィギュレーションをシグナルするように適合された少なくとも１つのプロセッサはさらに、再コンフィギュレーションの前後において同じＣＳＩ−ＲＳおよびミュート・パターンを有するバックホール・サブフレームにおいて実行されるＣＳＩ−ＲＳまたはミュートのうちの少なくとも１つの再コンフィギュレーションをシグナルすることを備える、請求項４９に記載の装置。
【請求項５１】
前記コンフィギュレーションをシグナルするように適合された少なくとも１つのプロセッサは、制御情報およびデータ・メッセージを送信することを含み、ここで、前記データ・メッセージが前記コンフィギュレーションを含み、前記制御情報が前記データ・メッセージの位置を特定する、請求項４６に記載の装置。
【請求項５２】
格納された命令群を有するコンピュータ読取可能な記憶媒体であって、前記命令群は、
ドナー基地局によるチャネル状態情報−基準信号（ＣＳＩ−ＲＳ）の送信またはミュートのうちの少なくとも１つのために使用されるリソース要素（ＲＥ）のコンフィギュレーションを、リレー・ノードにおいて決定することと、
前記ドナー基地局から送信されたリレー制御情報に関する前記ＲＥのセットを復号することと、ここで、前記ＲＥのセットは、前記コンフィギュレーションに基づいて決定される、
のために１または複数のプロセッサによって実行可能であり、
前記コンフィギュレーションを決定することは、前記リレー・ノードおよび前記ドナー基地局において知られている、予め定められたリソースのセットにおいて、前記ドナー基地局によって送信されたコンフィギュレーション情報を復号することを備える、コンピュータ読取可能な記憶媒体。
【請求項５３】
前記コンフィギュレーションを決定することは、ＣＳＩ−ＲＳが前記ドナー基地局によって送信されない、ＲＥのセットを決定することを備える、請求項５２に記載のコンピュータ読取可能な記憶媒体。
【請求項５４】
前記コンフィギュレーションを決定することは、前記ドナー基地局が送信を控えることによってミュートしないＲＥを決定することを備える、請求項５２に記載のコンピュータ読取可能な記憶媒体。
【請求項５５】
前記コンフィギュレーションを決定することは、１または複数のシステム情報ブロック（ＳＩＢ）を復号することを備える、請求項５２に記載のコンピュータ読取可能な記憶媒体。
【請求項５６】
前記１または複数のＳＩＢの位置は、別のデータ送信に関する情報を取得するために、第２の制御チャネルとは異なる第１の制御チャネルを復号することによって決定される、請求項５５に記載のコンピュータ読取可能な記憶媒体。
【請求項５７】
前記第１の制御チャネルは、物理ダウンリンク制御チャネル（ＰＤＣＣＨ）であり、前記第２の制御チャネルは、中継物理ダウンリンク制御チャネル（Ｒ−ＰＤＣＣＨ）である、請求項５６に記載のコンピュータ読取可能な記憶媒体。
【請求項５８】
前記コンフィギュレーションを決定することは、前記コンフィギュレーションを取得するためにユーザ機器（ＵＥ）によって使用される手順を前記リレー・ノードが用いることを備える、請求項５２に記載のコンピュータ読取可能な記憶媒体。
【請求項５９】
前記コンフィギュレーションを決定することは、ＣＳＩ−ＲＳまたはミュートされたＲＥのうちの少なくとも１つを欠くサブフレームに対応するレート・マッチングを用いてコンフィギュレーション情報を復号することを備える、請求項５２に記載のコンピュータ読取可能な記憶媒体。
【請求項６０】
前記リレー・ノードが、前記コンフィギュレーション情報を有することを期待されている前後において、前記リレー・ノードによって復号されねばならない制御送信またはデータ送信のうちの少なくとも１つのために、異なるレート・マッチング・スキームが使用される、請求項５９に記載のコンピュータ読取可能な記憶媒体。
【請求項６１】
前記コンフィギュレーションを決定することは、ＣＳＩ−ＲＳおよびミュートされたＲＥを欠くサブフレームに対応するレート・マッチングを用いてコンフィギュレーション情報を復号することを備える、請求項５９に記載のコンピュータ読取可能な記憶媒体。
【請求項６２】
前記コンフィギュレーションを決定することは、ＣＳＩ−ＲＳまたはミュートのうちの少なくとも１つの少なくとも２つの異なるコンフィギュレーションに対応する少なくとも２つの異なるレート・マッチング・コンフィギュレーションを用いて、コンフィギュレーション情報を復号することを備える、請求項５２に記載のコンピュータ読取可能な記憶媒体。
【請求項６３】
格納された命令群を有するコンピュータ読取可能な記憶媒体であって、前記命令群は、
ドナー基地局によるチャネル状態情報−基準信号（ＣＳＩ−ＲＳ）の送信またはミュートのうちの少なくとも１つのために使用されるリソース要素（ＲＥ）のコンフィギュレーションを、リレー・ノードへシグナルすることと、
前記ＲＥのコンフィギュレーションに基づいて、サブフレームのデータ部分で、リレー制御情報を前記リレー・ノードへ送信することと、
のために１または複数のプロセッサによって実行可能であり、
前記コンフィギュレーションをシグナルすることは、前記リレー・ノードによって知られている、予め定められたリソースのセットで、前記コンフィギュレーションを送信することを備える、コンピュータ読取可能な記憶媒体。
【請求項６４】
前記コンフィギュレーションは、ＣＳＩ−ＲＳまたはミュートのうちの少なくとも１つを欠くサブフレームにおいてのみ送信される、請求項６３に記載のコンピュータ読取可能な記憶媒体。
【請求項６５】
前記コンフィギュレーションは、ＣＳＩ−ＲＳおよびミュートを欠くサブフレームにおいてのみ送信される、請求項６４に記載のコンピュータ読取可能な記憶媒体。
【請求項６６】
前記コンフィギュレーションをシグナルすることは、ＣＳＩ−ＲＳまたはミュートのうちの少なくとも１つを欠くバックホール・サブフレームにおいて、ＣＳＩ−ＲＳまたはミュートのうちの少なくとも１つの再コンフィギュレーションをシグナルすることを備える、請求項６３に記載のコンピュータ読取可能な記憶媒体。
【請求項６７】
前記ＲＥのコンフィギュレーションをシグナルすることはさらに、再コンフィギュレーションの前後において同じＣＳＩ−ＲＳおよびミュート・パターンを有するバックホール・サブフレームにおいて実行されるＣＳＩ−ＲＳまたはミュートのうちの少なくとも１つの再コンフィギュレーションをシグナルすることを備える、請求項６６に記載のコンピュータ読取可能な記憶媒体。
【請求項６８】
前記コンフィギュレーションをシグナルすることは、制御情報およびデータ・メッセージを送信することを含み、ここで、前記データ・メッセージが前記コンフィギュレーションを含み、前記制御情報が前記データ・メッセージの位置を特定する、請求項６３に記載のコンピュータ読取可能な記憶媒体。
【発明の詳細な説明】
【関連出願に対する相互参照】
【０００１】
本願は、２０１０年１０月８日に出願された米国仮特許出願６１／３９１，４１９号の利益を主張する。この開示は、参照によって本明細書に明確に組み込まれている。
【技術分野】
【０００２】
本開示のある実施形態は、一般に、無線通信に関し、更に詳しくは、ドナー基地局による基準信号の送信のために使用されるリソース要素のコンフィギュレーションに基づいてリレー制御情報を復号することに関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
通常、無線多元接続通信システムは、複数の無線端末のための通信を同時にサポートしうる。端末はおのおのの、順方向リンクおよび逆方向リンクによる送信を介して、１または複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システム等によって確立されうる。
【０００５】
いくつかのシステムは、ドナー基地局と無線端末との間でメッセージを中継するリレー基地局を利用しうる。リレー基地局は、バックホール・リンクを介してドナー基地局と通信し、アクセス・リンクを介して端末と通信しうる。言い換えれば、リレー基地局は、バックホール・リンクを介してドナー基地局からダウンリンク・メッセージを受信し、これらメッセージを、アクセス・リンクを介して端末へ中継しうる。同様に、リレー基地局は、アクセス・リンクを介して端末からアップリンク・メッセージを受信し、これらメッセージを、バックホール・リンクを介してドナー基地局へ中継しうる。したがって、リレー基地局は、有効通信範囲エリアを補足し、かつ「有効通信範囲ホール」を埋めることを支援する。
【発明の概要】
【０００６】
本開示のある態様は、無線通信のための方法を提供する。この方法は一般に、ドナー基地局によるチャネル状態情報−基準信号（ＣＳＩ−ＲＳ）の送信またはミュートのうちの少なくとも１つのために使用されるリソース要素（ＲＥ）のコンフィギュレーションを、リレー・ノードにおいて決定することと、ドナー基地局から送信されたリレー制御情報に関するＲＥのセットを復号することと、ここで、ＲＥのセットは、このコンフィギュレーションに、少なくとも部分的に基づいて決定される、を含む。
【０００７】
本開示のある態様は、無線通信のための方法を提供する。この方法は一般に、ドナー基地局によるチャネル状態情報−基準信号（ＣＳＩ−ＲＳ）の送信またはミュートのうちの少なくとも１つのために使用されるリソース要素（ＲＥ）のコンフィギュレーションを、リレー・ノードへシグナルすることと、ＲＥのコンフィギュレーションに基づいて、サブフレームのデータ部分で、リレー制御情報をリレー・ノードへ送信することと、を含む。
【０００８】
本開示のある態様は、無線通信のための装置を提供する。この装置は一般に、ドナー基地局によるチャネル状態情報−基準信号（ＣＳＩ−ＲＳ）の送信またはミュートのうちの少なくとも１つのために使用されるリソース要素（ＲＥ）のコンフィギュレーションを、リレー・ノードにおいて決定する手段と、ドナー基地局から送信されたリレー制御情報に関するＲＥのセットを復号する手段と、ここで、ＲＥのセットは、このコンフィギュレーションに、少なくとも部分的に基づいて決定される、を含む。
【０００９】
本開示のある態様は、無線通信のための装置を提供する。この装置は一般に、ドナー基地局によるチャネル状態情報−基準信号（ＣＳＩ−ＲＳ）の送信またはミュートのうちの少なくとも１つのために使用されるリソース要素（ＲＥ）のコンフィギュレーションを、リレー・ノードへシグナルする手段と、ＲＥのコンフィギュレーションに基づいて、サブフレームのデータ部分で、リレー制御情報をリレー・ノードへ送信する手段と、を含む。
【００１０】
本開示のある態様は、無線通信のための装置を提供する。この装置は、一般に、少なくとも１つのプロセッサと、少なくとも１つのプロセッサに接続されたメモリとを含む。少なくとも１つのプロセッサは一般に、ドナー基地局によるチャネル状態情報−基準信号（ＣＳＩ−ＲＳ）の送信またはミュートのうちの少なくとも１つのために使用されるリソース要素（ＲＥ）のコンフィギュレーションを、リレー・ノードにおいて決定し、ドナー基地局から送信されたリレー制御情報に関するＲＥのセットを復号する、ここで、ＲＥのセットは、このコンフィギュレーションに、少なくとも部分的に基づいて決定される、ように適応される。
【００１１】
本開示のある態様は、無線通信のための装置を提供する。この装置は、一般に、少なくとも１つのプロセッサと、少なくとも１つのプロセッサに接続されたメモリとを含む。少なくとも１つのプロセッサは、ドナー基地局によるチャネル状態情報−基準信号（ＣＳＩ−ＲＳ）の送信またはミュートのうちの少なくとも１つのために使用されるリソース要素（ＲＥ）のコンフィギュレーションを、リレー・ノードへシグナルし、ＲＥのコンフィギュレーションに基づいて、サブフレームのデータ部分で、リレー制御情報をリレー・ノードへ送信する、ように適応される。
【００１２】
ある実施形態は、１または複数のプロセッサによって実行可能な命令群を格納して有するコンピュータ読取可能媒体を備えた、無線通信のためのコンピュータ・プログラム製品を提供する。これら実行可能な命令群は一般に、ドナー基地局によるチャネル状態情報−基準信号（ＣＳＩ−ＲＳ）の送信またはミュートのうちの少なくとも１つのために使用されるリソース要素（ＲＥ）のコンフィギュレーションを、リレー・ノードにおいて決定することと、ドナー基地局から送信されたリレー制御情報に関するＲＥのセットを復号することと、ここで、ＲＥのセットは、このコンフィギュレーションに、少なくとも部分的に基づいて決定される、のための命令群を含む。
【００１３】
ある実施形態は、１または複数のプロセッサによって実行可能な命令群を格納して有するコンピュータ読取可能媒体を備えた、無線通信のためのコンピュータ・プログラム製品を提供する。これら命令群は一般に、ドナー基地局によるチャネル状態情報−基準信号（ＣＳＩ−ＲＳ）の送信またはミュートのうちの少なくとも１つのために使用されるリソース要素（ＲＥ）のコンフィギュレーションを、リレー・ノードへシグナルすることと、ＲＥのコンフィギュレーションに基づいて、サブフレームのデータ部分で、リレー制御情報をリレー・ノードへ送信することと、のための命令群を含む。
【図面の簡単な説明】
【００１４】
本開示の特徴、特性、および利点は、同一の参照符号が全体を通じて同一物を特定している図面とともに考慮された場合、以下に記載する詳細な記載からより明らかになるだろう。
【図１】図１は、１つの実施形態にしたがう多元接続無線通信システムを例示する。
【図２】図２は、本開示の態様にしたがう、通信システムのブロック図である。
【図３】図３は、本開示の態様にしたがうフレーム構成の例を例示する。
【図４】図４は、本開示の態様にしたがうサブフレーム・リソース要素マッピングの例を例示する。
【図５】図５は、本開示の態様にしたがうリレー基地局を備えた無線通信システムの例を例示する。
【図６】図６は、本開示のある態様にしたがうドナー基地局およびリレー基地局の例を例示する。
【図７】図７は、本開示の態様にしたがうサブフレーム・リソース要素マッピングの例を例示する。
【図８】図８は、本開示の態様にしたがうサブフレーム・リソース要素マッピングの例を例示する。
【図９】図９は、本開示の態様にしたがうサブフレーム・リソース要素マッピングの例を例示する。
【図１０】図１０は、本開示の態様にしたがって、リレー基地局によって実行されうる動作の例を図示する。
【図１１】図１１は、本開示の態様にしたがって、ドナー基地局によって実行されうる動作の例を図示する。
【発明を実施するための形態】
【００１５】
本開示のある態様は、例えば基準信号を送信またはミュートする（送信を控える）ことのような特別の目的のために、ドナー基地局によってどのリソースが使用されるのかを示すコンフィギュレーションを活用する。リレー・ノードのようなデバイスは、制御チャネル情報を復号することを支援するために、このコンフィギュレーションに関する情報を利用しうる。
【００１６】
例えば、リレー局は、これら特別な目的のために実際に利用されているか、利用可能であるかの何れかであるリソースが、制御チャネル情報を送信するために使用されていないと仮定しうる。その結果、リレー局が考慮しなければならない復号候補の数が大幅に低減されうる。これは、より効率的な制御チャネル検出および復号に至りうる。
【００１７】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用されうる。「ネットワーク」および「システム」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）および低チップ・レート（ＬＣＲ）を含む。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された団体からの文書に記載されている。ｃｄｍａ２０００は、「第３世代パートナシップ計画２」（３ＧＰＰ２）と命名された団体からの文書に記載されている。これらさまざまなラジオ技術および規格は、当該技術分野において知られている。明確化のために、これら技術のある態様は、以下において、ＬＴＥに関して記載されており、ＬＴＥ用語が以下の説明の多くで使用される。
【００１８】
シングル・キャリア周波数分割多元接続（ＳＣ−ＦＤＭＡ）は、シングル・キャリア変調および周波数領域等値化を利用する技術である。ＳＣ−ＦＤＭＡは、ＯＦＤＭＡシステムと同じ性能、および実質的に同じ全体的な複雑さを有する。ＳＣ−ＦＤＭＡ信号は、固有のシングル・キャリア構造により、低いピーク対平均電力比（ＰＡＰＲ）を有する。ＳＣ−ＦＤＭＡは、送信電力効率の観点において、低いＰＡＰＲがモバイル端末に大いに有益となるアップリンク通信において、特に大きな注目を集めている。これは現在、３ＧＰＰロング・ターム・イボリューション（ＬＴＥ）またはイボルブドＵＴＲＡにおけるアップリンク多元接続スキームのための動作前提である。
【００１９】
図１に示すように、１つの実施形態にしたがう多元接続無線通信システムが例示される。アクセス・ポイント１００（ＡＰ）は、１つは１０４，１０６を含み、他のものは１０８，１１０を含み、さらに他のものは１１２，１１４を含む複数のアンテナ・グループを含んでいる。図１では、おのおののアンテナ・グループについて２本のアンテナしか示されていない。しかしながら、おのおののアンテナ・グループについて、これより多くの、またはこれより少ないアンテナが利用されうる。アクセス端末１１６（ＡＴ）はアンテナ１１２，１１４と通信しており、アンテナ１１２，１１４は、順方向リンク１２０でアクセス端末１１６へ情報を送信し、逆方向リンク１１８でアクセス端末１１６から情報を受信する。アクセス端末１２２は、アンテナ１０６，１０８と通信しており、アンテナ１０６，１０８は、順方向リンク１２６でアクセス端末１２２へ情報を送信し、逆方向リンク１２４でアクセス端末１２２から情報を受信する。ＦＤＤシステムでは、通信リンク１１８，１２０，１２４，１２６は、通信のために、異なる周波数を使用しうる。例えば、順方向リンク１２０は、逆方向リンク１１８によって使用されるものとは異なる周波数を使用しうる。
【００２０】
通信するように設計された領域および／またはアンテナのおのおののグループは、しばしば、アクセス・ポイントのセクタと称される。実施形態では、おのおののアンテナ・グループは、アクセス・ポイント１００によってカバーされる領域のセクタ内のアクセス端末と通信するように設計される。
【００２１】
順方向リンク１２０，１２６による通信では、アクセス・ポイント１００の送信アンテナは、別のアクセス端末１１６，１２４の順方向リンクの信号対雑音比を改善するために、ビームフォーミングを利用する。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００２２】
アクセス・ポイントは、端末と通信するために使用される固定局であり、アクセス・ポイント、ノードＢ、あるいはその他幾つかの専門用語でも称されうる。アクセス端末はまた、アクセス端末、ユーザ機器（ＵＥ）、無線通信デバイス、端末、アクセス端末、あるいはその他いくつかの専門用語で称されうる。
【００２３】
図２は、ＭＩＭＯシステム２００における送信機システム２１０（アクセス・ポイントとしても知られている）および受信機システム２５０（アクセス端末としても知られている）の実施形態のブロック図である。送信機システム２１０では、多くのデータ・ストリームのトラフィック・データが、データ・ソース２１２から送信（ＴＸ）データ・プロセッサ２１４に提供される。
【００２４】
態様では、データ・ストリームはおのおのの、それぞれの送信アンテナを介して送信される。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００２５】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、またはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。
【００２６】
すべてのデータ・ストリームの変調シンボルは、（例えば、ＯＦＤＭのための）変調シンボルを処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある実施形態では、ＴＸ  ＭＩＭＯプロセッサ２２０は、データ・ストリームのシンボル、および、このシンボルが送信されるアンテナへ、ビームフォーミング重みを適用する。
【００２７】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。送信された変調信号は、図２に例示されるように、例えば中継物理ダウンリンク制御チャネル（Ｒ−ＰＤＣＣＨ）２９８のようなリレー・ノードの制御情報を示しうる。
【００２８】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００２９】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、このデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものに対して相補的である。
【００３０】
プロセッサ２７０は、前述したように、利用可能などの技術を利用するのかを定期的に決定する。さらに、プロセッサ２７０は、行列インデクス部およびランク値部を備えた逆方向リンク・メッセージを規定する。
【００３１】
逆方向リンク・メッセージは、通信リンクおよび／または受信されたデータ・ストリームに関するさまざまなタイプの情報を備えうる。逆方向リンク・メッセージはその後、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３２】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。さらに、プロセッサ２３０は、ビームフォーミング重みを決定するためにどのプリコーディング行列を使用するかを決定するために、この抽出されたメッセージを処理する。
【００３３】
態様では、論理チャネルが、制御チャネルとトラフィック・チャネルとに分類される。論理制御チャネルは、システム制御情報をブロードキャストするためのＤＬチャネルであるブロードキャスト制御チャネル（ＢＣＣＨ）を備える。ページング制御チャネル（ＰＣＣＨ）は、ページング情報を転送するＤＬチャネルである。マルチキャスト制御チャネル（ＭＣＣＨ）は、１またはいくつかのＭＴＣＨのため、マルチメディア・ブロードキャストおよびマルチキャスト・サービス（ＭＢＭＳ）スケジューリングおよび制御情報を送信するために使用されるポイント・トゥ・マルチポイントＤＬチャネルである。一般に、ＲＲＣ接続を確立した後、このチャネルは、ＭＢＭＳ（注：旧ＭＣＣＨ＋ＭＳＣＨ）を受信するＵＥによってのみ使用される。専用制御チャネル（ＤＣＣＨ）は、ＲＲＣ接続を有するＵＥによって使用される、専用制御情報を送信するポイント・トゥ・ポイント双方向チャネルである。態様では、論理トラフィック・チャネルは、ユーザ情報の転送のために１つのＵＥに専用のポイント・トゥ・ポイント双方向チャネルである専用トラフィック・チャネル（ＤＴＣＨ）を備える。また、マルチキャスト・トラフィック・チャネル（ＭＴＣＨ）は、トラフィック・データを送信するためのポイント・トゥ・マルチポイントＤＬチャネルである。
【００３４】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされ、他の制御／トラフィック・チャネルのために使用されうるＰＨＹリソースへマップされることによって、ＵＥの節電をサポートする（例えば、ＤＲＸサイクルが、ネットワークによってＵＥへ示されうる等）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。ＰＨＹチャネルは、ＤＬチャネルとＵＬチャネルとのセットを備える。
【００３５】
ＤＬ  ＰＨＹチャネルは以下を備える。  
共通パイロット・チャネル（ＣＰＩＣＨ）  
同期チャネル（ＳＣＨ）  
共通制御チャネル（ＣＣＣＨ）  
共有ＤＬ制御チャネル（ＳＤＣＣＨ）  
マルチキャスト制御チャネル（ＭＣＣＨ）  
共有ＵＬ割当チャネル（ＳＵＡＣＨ）  
アクノレッジメント・チャネル（ＡＣＫＣＨ）  
ＤＬ物理共有データ・チャネル（ＤＬ−ＰＳＤＣＨ）  
ＵＬ電力制御チャネル（ＵＰＣＣＨ）  
ページング・インジケータ・チャネル（ＰＩＣＨ）  
負荷インジケータ・チャネル（ＬＩＣＨ）
ＵＬ  ＰＨＹチャネルは以下を備える。  
物理ランダム・アクセス・チャネル（ＰＲＡＣＨ）  
チャネル品質インジケータ・チャネル（ＣＱＩＣＨ）  
アクノレッジメント・チャネル（ＡＣＫＣＨ）  
アンテナ・サブセット・インジケータ・チャネル（ＡＳＩＣＨ）  
共有要求チャネル（ＳＲＥＱＣＨ）  
ＵＬ物理共有データ・チャネル（ＵＬ−ＰＳＤＣＨ）  
ブロードキャスト・パイロット・チャネル（ＢＰＩＣＨ）
態様では、シングル・キャリア波形の低ＰＡＲ（所与の時間において、チャネルは、周波数において隣接しているか、あるいは一定の間隔をもって配置されている）特性を維持するチャネル構造が提供される。
【００３６】
本書の目的のために、以下の略語を適用する。  
ＡＭ          アクノレッジ・モード  
ＡＭＤ        アクノレッジ・モード・データ  
ＡＲＱ        自動反復要求  
ＢＣＣＨ      ブロードキャスト制御チャネル  
ＢＣＨ        ブロードキャスト・チャネル  
Ｃ−          制御−  
ＣＣＣＨ      共通制御チャネル  
ＣＣＨ        制御チャネル  
ＣＣＴｒＣＨ  符号化された合成伝送チャネル  
ＣＰ          サイクリック・プレフィクス  
ＣＲＣ        巡回冗長検査  
ＣＴＣＨ      共通トラフィック・チャネル  
ＤＣＣＨ      専用制御チャネル  
ＤＣＨ        専用チャネル  
ＤＬ          ダウンリンク  
ＤＬ−ＳＣＨ  ダウンリンク共有チャネル  
ＤＭ−ＲＳ    復調−基準信号  
ＤＳＣＨ      ダウンリンク共有チャネル  
ＤＴＣＨ      専用トラフィック・チャネル  
ＦＡＣＨ      順方向リンク・アクセス・チャネル  
ＦＤＤ        周波数分割デュプレクス  
Ｌ１          レイヤ１（物理レイヤ）  
Ｌ２          レイヤ２（データ・リンク・レイヤ）  
Ｌ３          レイヤ３（ネットワーク・レイヤ）  
ＬＩ          長さインジケータ  
ＬＳＢ        最下位ビット  
ＭＡＣ        媒体アクセス制御  
ＭＢＭＳ      マルチメディア・ブロードキャスト・マルチキャスト・サービス  
ＭＣＣＨ      ＭＢＭＳポイント・トゥ・マルチポイント制御チャネル  
ＭＲＷ        動き受信ウィンドウ  
ＭＳＢ        最上位ビット  
ＭＳＣＨ      ＭＢＭＳポイント・トゥ・マルチポイント・スケジューリング・チャネル  
ＭＴＣＨ      ＭＢＭＳポイント・トゥ・マルチポイント・トラフィック・チャネル  
ＰＣＣＨ      ページング制御チャネル  
ＰＣＨ        ページング・チャネル  
ＰＤＵ        プロトコル・データ・ユニット  
ＰＨＹ        物理レイヤ  
ＰｈｙＣＨ    物理チャネル  
ＲＡＣＨ      ランダム・アクセス・チャネル  
ＲＢ          リソース・ブロック  
ＲＬＣ        ラジオ・リンク制御  
ＲＲＣ        ラジオ・リソース制御  
ＳＡＰ        サービス・アクセス・ポイント  
ＳＤＵ        サービス・データ・ユニット  
ＳＨＣＣＨ    共有チャネル制御チャネル  
ＳＮ          シーケンス番号  
ＳＵＦＩ      スーパ・フィールド  
ＴＣＨ        トラフィック・チャネル  
ＴＤＤ        時分割デュプレクス  
ＴＦＩ        伝送フォーマット・インジケータ  
ＴＭ          透過モード  
ＴＭＤ        透過モード・データ  
ＴＴＩ        送信時間インタバル  
Ｕ−          ユーザ−  
ＵＥ          ユーザ機器  
ＵＬ          アップリンク  
ＵＭ          非アクノレッジ・モード  
ＵＭＤ        非アクノレッジ・モード・データ  
ＵＭＴＳ      ユニバーサル・モバイル通信システム  
ＵＴＲＡ      ＵＭＴＳ地上ラジオ・アクセス  
ＵＴＲＡＮ    ＵＭＴＳ地上ラジオ・アクセス・ネットワーク  
ＭＢＳＦＮ    マルチメディア・ブロードキャスト単一周波数ネットワーク  
ＭＣＥ        ＭＢＭＳ調整エンティティ  
ＭＣＨ        マルチキャスト・チャネル  
ＭＳＣＨ      ＭＢＭＳ制御チャネル  
ＰＤＣＣＨ    物理ダウンリンク制御チャネル  
ＰＤＳＣＨ    物理ダウンリンク共有チャネル  
ＰＲＢ        物理リソース・ブロック  
ＶＲＢ        仮想リソース・ブロック  
さらに、Ｒｅｌ−８は、ＬＴＥ規格のリリース８を称する。
【００３７】
図３は、ＬＴＥにおけるＦＤＤのための典型的なフレーム構造３００を示す。ダウンリンクおよびアップリンクのおのおののための送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ分割されうる。おのおののサブフレームは、２つのスロットを含みうる。したがって、おのおののラジオ・フレームは、０乃至１９のインデクスを付された２０のスロットを含みうる。おのおののスロットは、例えば、（図２に示すように）通常のサイクリック・プレフィクスの場合、７つのシンボル期間、拡張されたサイクリック・プレフィクスの場合、６つのシンボル期間のように、Ｌ個のシンボル期間を含みうる。おのおののサブフレームでは、２Ｌ個のシンボル期間が、０乃至２Ｌ−１のインデクスを割り当てられうる。
【００３８】
ＬＴＥでは、ｅＮＢはまた、ｅＮＢによってサポートされるおのおののセルのためのシステム帯域幅の中央の１．０８ＭＨｚで、ダウンリンクで一次同期信号（ＰＳＳ）および二次同期信号（ＳＳＳ）を送信しうる。図３に示すように、ＰＳＳおよびＳＳＳは、通常のサイクリック・プレフィクスを持つ各ラジオ・フレームのサブフレーム０およびサブフレーム５において、シンボル期間６およびシンボル期間５でそれぞれ送信されうる。ＰＳＳおよびＳＳＳは、ＵＥによって、セル探索および獲得のために使用されうる。ｅＮＢは、ｅＮＢによってサポートされているおのおののセルについて、システム帯域幅で、セル特有基準信号（ＣＲＳ）を送信しうる。ＣＲＳは、おのおののサブフレームのあるシンボル期間で送信されうる。そして、チャネル推定、チャネル品質測定、および／または、その他の機能を実行するために、ＵＥによって使用されうる。ｅＮＢはまた、あるラジオ・フレームのスロット１におけるシンボル期間０乃至３で、物理ブロードキャスト・チャネル（ＰＢＣＨ）を送信しうる。ＰＢＣＨは、いくつかのシステム情報を伝送しうる。ｅＮＢは、例えばシステム情報ブロック（ＳＩＢ）のようなその他のシステム情報を、あるサブフレームで、物理ダウンリンク共有チャネル（ＰＤＳＣＨ）で送信しうる。ｅＮＢは、サブフレームの最初のＢ個のシンボル期間において、物理ダウンリンク制御チャネル（ＰＤＣＣＨ）で制御情報／データを送信しうる。ここで、Ｂは各サブフレームについて設定可能でありうる。ｅＮＢは、各サブフレームの残りのシンボル期間において、ＰＤＳＣＨで、トラフィック・データおよび／またはその他のデータを送信しうる。
【００３９】
図４は、通常のサイクリック・プレフィクスを用いたダウンリンクのための典型的なサブフレーム・フォーマット４１０，４２０を示す。ダウンリンクのために利用可能な時間周波数リソースは、リソース・ブロックに分割されうる。おのおののリソース・ブロックは、１つのスロット内に１２のサブキャリアをカバーし、多くのリソース要素を含みうる。おのおののリソース要素は、１つのシンボル期間において１つのサブキャリアをカバーしうる。そして、実数値または複素数値である１つの変調シンボルを送信するために使用されうる。
【００４０】
サブフレーム・フォーマット４１０は、２つのアンテナを装備したｅＮＢのために使用されうる。ＣＲＳは、シンボル期間０，４，７，１１において、アンテナ０，１から送信されうる。基準信号は、送信機および受信機に演繹的に知られている信号であり、パイロットと称されうる。ＣＲＳは、例えば、セル識別情報（ＩＤ）に基づいて生成された、セルに特有の基準信号である。図４では、ラベルＲａを付された所与のリソース要素について、アンテナａから、このリソース要素で変調シンボルが送信され、他のアンテナからは、このリソース要素で、変調シンボルは送信されない。サブフレーム・フォーマット４２０は、４つのアンテナを装備したｅＮＢのために使用されうる。ＣＲＳは、シンボル期間０，４，７，１１において、アンテナ０，１から送信され、シンボル期間１，８において、アンテナ２，３から送信されうる。サブフレーム・フォーマット４１０，４２０の両方について、セルＩＤに基づいて決定されうる、等間隔で配置されたサブキャリアでＣＲＳが送信されうる。異なるｅＮＢは、これらのセルＩＤに依存して、同じキャリアまたは別のサブキャリアで、ＣＲＳを送信しうる。サブフレーム・フォーマット４１０，４２０の両方について、ＣＲＳのために使用されていないリソース要素は、データ（例えば、トラフィック・データ、制御データ、および／または、その他のデータ）を送信するために使用されうる。
【００４１】
ＬＴＥにおけるＰＳＳ、ＳＳＳ、ＣＲＳ、およびＰＢＣＨは、公的に利用可能な「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００４２】
ＬＴＥでは、ＦＤＤについて、ダウンリンクおよびアップリンクのおのおののために、インタレース構造が使用されうる。例えば、０乃至Ｑ−１のインデクスを持つＱ個のインタレースが定義される。ここで、Ｑは、４，６，８，１０またはその他いくつかの値に等しい。おのおののインタレースは、Ｑ個のフレームによって間隔を置かれているサブフレームを含みうる。特に、インタレースｑは、サブフレームｑ、ｑ＋Ｑ、ｑ＋２Ｑ等を含みうる。ここでｑ∈｛０，・・・，Ｑ−１｝である。
【００４３】
無線ネットワークは、ダウンリンクおよびアップリンクにおけるデータ送信のために、ハイブリッド自動再送信（ＨＡＲＱ）をサポートしうる。ＨＡＲＱの場合、パケットが受信機（例えば、ＵＥ）によって正確に復号されるか、または、その他の終了条件に到達するまで、送信機（例えば、ｅＮＢ）は、パケットの１または複数の伝送を送りうる。同期ＨＡＲＱの場合、パケットのすべての送信が、単一のインタレースのサブフレームで送信されうる。非同期ＨＡＲＱの場合、パケットの送信はそれぞれ、任意のサブフレームで送られうる。
【００４４】
ＵＥは、複数のｅＮＢの有効通信範囲内に存在しうる。これらのｅＮＢのうちの１つが、ＵＥにサービス提供するために選択されうる。サービス提供ｅＮＢは、例えば受信信号強度、受信信号品質、経路喪失等のようなさまざまな基準に基づいて選択されうる。受信信号品質は、信号対雑音および干渉比（ＳＩＮＲ）、または基準信号受信品質（ＲＳＲＱ）、またはその他のメトリックによって定量化されうる。ＵＥは、１または複数の干渉元のｅＮＢから高い干渉を観察しうる支配的な干渉シナリオで動作しうる。
【００４５】
（典型的なリレー・システム）  
図５は、本開示のある実施形態が実現されうる無線システム５００の例を示す。例示されるように、システム５００は、リレー基地局（ＢＳ）５０６を経由してユーザ機器（ＵＥ）５０４と通信するドナー基地局（ＢＳ）５０２を含んでいる。リレー基地局５０６は、バックホール・リンク５０８を介してドナーＢＳ５０２と通信し、アクセス・リンク５１０を介してＵＥ５０４と通信しうる。
【００４６】
リレーＢＳが図５に示されているが、当業者であれば、本明細書に記載された技術は、ドナー基地局とその他のＵＥとの間のリレーとして動作するユーザ機器（ＵＥ）を含む、例えばリレー・ノードのように動作する任意のタイプのデバイスに適用されうる。
【００４７】
言い換えれば、リレーＢＳ５０６は、バックホール・リンク５０８を介してドナーＢＳ５０２からダウンリンク・メッセージを受信し、これらメッセージを、アクセス・リンク５１０を介してＵＥ５０４へ中継しうる。本開示の態様によれば、ドナーＢＳ５０２は、バックホール・リンク５０８を介して、リレー基地局５０６へ、中継物理ダウンリンク制御チャネル（Ｒ−ＰＤＣＣＨ）２９８を送信しうる。リレーＢＳ５０６は、アクセス・リンク５１０を介してＵＥ５０４からアップリンク・メッセージを受信し、これらメッセージを、バックホール・リンク５０８を介してドナーＢＳ５０２へ中継しうる。
【００４８】
したがって、リレー基地局５０６は、有効通信範囲エリアを補足し、かつ「有効通信範囲ホール」を埋めることを支援する。ある態様によれば、リレーＢＳ５０６は、ＵＥ５０４に、従来のＢＳとして見えることがある。他の態様によれば、あるタイプのＵＥは、リレーＢＳを認識しうる。それゆえ、これは、ある機能を可能にしうる。
【００４９】
（基準信号およびリレーＰＤＣＣＨのコンフィギュレーション）  
本開示のある態様は、制御チャネルを復号する際にリレー局を支援するために利用されうる。いくつかの場合、リレー局は、例えば、リレー局が考慮しなければならない復号候補の数を低減するために、基準信号を送信またはミュートすることのような特別の目的のために、基地局によってどのリソースが使用されるのかを示すコンフィギュレーションを活用する。
【００５０】
前述したように、リレー基地局は、バックホール・リンク・サブフレームにおいてドナー基地局と、アクセス・リンク・サブフレームにおいてＵＥと通信しうる。中継ＰＤＣＣＨ（Ｒ−ＰＤＣＣＨ）は、一般に、例えばダウンリンク許可とアップリンク許可とを含むダウンリンク関連制御情報とアップリンク関連制御情報との両方を伝送するリレー基地局のダウンリンク・バックホール・リンクにおける制御チャネルを称する。いくつかの仕様によれば、Ｒ−ＰＤＣＣＨ設計は、ＬＴＥサブフレームの第１のスロットで伝送されるべきダウンリンク制御メッセージと、第２のスロットで伝送されるべきアップリンク制御メッセージとを必要としうる。
【００５１】
あるサブフレームにおいては、Ｒ−ＰＤＣＣＨに加えて、ドナー基地局はまた、例えばチャネル状態情報−基準信号（ＣＳＩ−ＲＳ）のようなさまざまな基準信号を送信しうる。
【００５２】
ＣＳＩ−ＲＳを含むサブフレームと、ＣＳＩ−ＲＳを含まないサブフレームとおいてＲ−ＰＤＣＣＨを送信するために使用されるインタリーブおよび特定のリソース要素（ＲＥ）は異なりうる。さらに、ドナー基地局は、これらのＲＥにおける送信を控えることによって、いくつかのサブフレームにおいていくつかのＲＥをミュートしうる。例えば、ドナー基地局は、近隣の基地局によってＣＳＩ−ＲＳを送信するために使用されるＲＥに対応するＲＥをミュートしうる。ドナー基地局は、ミュートされたＲＥでＲ−ＰＤＣＣＨを送信することを回避しうる。したがって、ミュートされたサブフレームおよびミュートされていないサブフレームにおいてＲ−ＰＤＣＣＨを送信するために使用されるインタリービングおよび特定のＲＥもまた異なりうる。
【００５３】
これらの理由で、Ｒ−ＰＤＣＣＨを適切にかつ効率的に復号するために、ドナー基地局のＣＳＩ−ＲＳおよび／またはミュート・コンフィギュレーションを、リレー基地局が知ることは有益でありうる。
【００５４】
しかしながら、ＣＳＩ−ＲＳおよび／またはミュート・コンフィギュレーションは、サブフレームのデータ領域におけるシステム情報ブロック（ＳＩＢ）を用いて、リレー基地局へ送信されうる。現在の設計によれば、リレー基地局は、ＣＳＩ−ＲＳおよび／またはミュートをどのサブフレームが含むのかを示すコンフィギュレーションを決定し、もって、Ｒ−ＰＤＣＣＨを復号するために、サブフレームのデータ領域を復号する必要がありうる。しかしながら、リレー基地局は、サブフレームのデータ領域におけるＳＩＢの位置を決定するために、Ｒ−ＰＤＣＣＨで送信された制御メッセージを復号する必要がありうる。
【００５５】
したがって、制御チャネル情報を効率的に復号することを支援するために、リレー基地局が、ドナー基地局によるＣＳＩ−ＲＳの送信およびミュートに関する情報を利用することは有利でありうる。態様によれば、リレー基地局は、前述した状況を回避しうる。ここでは、Ｒ−ＰＤＣＣＨを適切かつ効率的に復号するために使用されうるＣＳＩ−ＲＳおよびミュート・コンフィギュレーションが、ＳＩＢを用いて送信され、ＳＩＢの位置が、Ｒ−ＰＤＣＣＨで送信される。
【００５６】
しかしながら、本開示の態様は、ドナー基地局による基準信号の送信またはミュートのために使用されるＲＥのコンフィギュレーションに基づいて、ドナー基地局がＲ−ＰＤＣＣＨを送信するために使用しうる制限された復号候補数を決定することによって、リレー基地局がより効率的にＲ−ＰＤＣＣＨを復号する方法を提供する。
【００５７】
図６はドナー基地局６０２およびリレー基地局６０４を備えるシステム６００の例を例示する。ドナー基地局６０２は、基準信号の送信および／またはミュートのために使用されるサブフレームのＲＥのコンフィギュレーションをシグナリングすることができうる。
【００５８】
リレー基地局６０４は、本開示の態様にしたがって、基準信号のコンフィギュレーションに基づいて、サブフレームのデータ部分におけるＲＥのセットを復号することができうる。例示されるように、ドナー基地局６０２は、送信機モジュール６０６を介してリレー基地局６０４へシグナルされるべきＣＳＩ−ＲＳ／ミュート・コンフィギュレーションを決定するスケジューリング・モジュール６０８を含みうる。このコンフィギュレーションは、例えば、このコンフィギュレーションに基づきうるサブフレーム（例えば、ＰＤＳＣＨ）のデータ部分で送信されうる。
【００５９】
リレー基地局６０４は、受信機モジュール６１０によってこの送信を受信し、コンフィギュレーション情報を復号しうる。このコンフィギュレーションは、ＣＳＩ−ＲＳおよび／またはミュートのために使用されるＲＥのコンフィギュレーションを決定する際に使用するために、制御情報復号モジュール６１２によって使用されうる。
【００６０】
その後、復号モジュール６１２は、この情報を用いて、制御情報の送信のための候補であるＲＥのセットを決定する。例えば、復号モジュール６１２は、基準信号および／またはミュートのために使用されるＲＥがＲ−ＰＤＣＣＨを送信するためには使用されないであろうとの仮定に基づいて、Ｒ−ＰＤＣＣＨ復号候補の数を低減しうる。
【００６１】
図７は、サブフレームの例におけるリソース要素（ＲＥ）のマッピング７００の例を例示する。例示されるように、サブフレームは、２つのスロット７０２，７０４を含みうる。第１のスロット７０２は、（ＵＥに向けられた）通常のＰＤＣＣＨのために使用されうる時分割多重（ＴＤＭ）制御領域７１０を含みうる。
【００６２】
例示されるように、サブフレームは、共通基準信号（ＣＲＳ）７０８と、ＣＳＩ−ＲＳ７０６の可能な送信のために利用可能なＲＥのセットとを含みうる。本開示のある態様によれば、リレー基地局は、ＵＥとして振舞い、ＴＤＭ制御領域７１０およびＳＩＢにおける通常のＰＤＣＣＨを復号し、ＣＳＩ−ＲＳおよびミュート・コンフィギュレーションに関する情報を取得しうる。このコンフィギュレーションに基づいて、リレー基地局は、サブフレームのデータ部分におけるＲ−ＰＤＣＣＨの送信のために利用可能なＲＥのセットを復号しうる。態様によれば、ＣＳＩ−ＲＳおよびミュート・コンフィギュレーションは、ＣＳＩ−ＲＳおよびミュートをもたないサブフレームで、リレー基地局へ伝送されうる。この場合、ドナー基地局は、ＣＳＩ−ＲＳおよびミュートを含まないサブフレームでコンフィギュレーション情報を送信し、リレー基地局は、Ｒ−ＰＤＣＣＨのブラインド復号を回避しうる。
【００６３】
本開示の態様によれば、ドナー基地局は、ＣＳＩ−ＲＳおよびミュートを欠くサブフレームにおいてのみリレー基地局にコンフィギュレーション情報が送信されることを保証しうる。このような設計では、リレー基地局は、リレー基地局がＣＳＩ−ＲＳおよびミュート・コンフィギュレーションを取得する前に、サブフレームがＣＳＩ−ＲＳおよびミュートを含まないと仮定して、すべてのサブフレームにおいてＲ−ＰＤＣＣＨを復号することを試みる。リレーは、ＣＳＩ−ＲＳコンフィギュレーションを取得すると、サブフレームに対応するレート・マッチングを使用しうる。すなわち、サブフレームのレート・マッチングは、サブフレームがＣＳＩ−ＲＳおよびミュートされたＲＥを含むか否かと、どのＲＥがミュートされ、ＣＳＩ−ＲＳを含んでいるか等に基づいて決定される。
【００６４】
あるいは、リレー基地局は、ＣＳＩ−ＲＳおよびミュートの別のコンフィギュレーションに対応するＲ−ＰＤＣＣＨを復号するために複数の試みを利用しうる。
【００６５】
例えば、リレー基地局は、ＣＳＩ−ＲＳもミュートもないサブフレームに対応するレート・マッチング・コンフィギュレーションを用いて、ＣＳＩ−ＲＳがあるもののミュートはないサブフレームに対応するレート・マッチング・コンフィギュレーションを用いて、ミュートがあるもののＣＳＩ−ＲＳはないサブフレームに対応するレート・マッチング・コンフィギュレーションを用いて、および／または、ＣＳＩ−ＲＳもミュートもあるサブフレームに対応するレート・マッチング・コンフィギュレーションを用いて、Ｒ−ＰＤＣＣＨを復号することを試みうる。サブフレーム内にはＣＳＩ−ＲＳおよびミュートされたＲＥについて、異なるパターンが存在するので、上記リストしたケースのおのおのについて、複数のレート・マッチング・コンフィギュレーションが存在しうることが注目されるべきである。
【００６６】
いくつかの場合、リレー基地局がＲ−ＰＤＣＣＨの復号を試みることを考慮するという仮説の数（ＲＥの候補セット）の低減に努める際、ドナー基地局は、ＣＳＩ−ＲＳまたはミュートを含むように構成されうる何れかのＲＥにおいてＲ−ＰＤＣＣＨを送信することを控えうる。さらに、Ｒ−ＰＤＣＣＨは、ダウンリンク関連メッセージであるので、ドナー基地局は、ＣＳＩ−ＲＳまたはミュートを含むように構成されうる第１のスロット７０２におけるＲＥでＲ−ＰＤＣＣＨを送信することを回避する必要がありうる。
【００６７】
図８は、４つのアンテナ・ポートを有するドナー基地局によるＣＳＩ−ＲＳの送信およびミュートのためのリソース要素（ＲＥ）のマッピング８００の例を例示する。図７と比較することによって、ＣＳＩ−ＲＳ送信のために利用可能なＲＥから、４つのＲＥ８０６（各アンテナ・ポートについて１つ）が実際に使用されていることが理解されうる。さらに、例示された例では、ミュートは、Ｒ−ＰＤＣＣＨ送信のために利用可能なＲＥ８０８のうちの２つにおいて実行されうる（例えば、これらＲＥは、ＣＳＩ−ＲＳ送信のために近隣の基地局によって使用されうるので）。
【００６８】
本開示の態様によれば、ＣＳＩ−ＲＳおよびミュート・コンフィギュレーションは、例えばＲＥ８１０のような予め定められたリソースのセットで、リレー基地局へ伝送されうる。ここで、リソースは、例えば、サブフレーム番号、ＯＦＤＭシンボル・インデクス、サブキャリア・インデクス等によって識別されうる。予め定められたリソースのセットは、スロット８０２またはスロット８０４の何れかかにあるか、あるいは、これら２つのスロットに及びうる。予め定められたリソースのセットでコンフィギュレーション情報を受信することによって、リレー基地局は、コンフィギュレーション情報を取得することができ、Ｒ−ＰＤＣＣＨを復号する際の支援のために、ＣＳＩ−ＲＳおよび／またはミュートのために使用されるＲＥに関する情報を利用しうる。
【００６９】
態様によれば、ドナー基地局は、ＣＳＩ−ＲＳの送信およびＲＥ８０８のために実際に使用されるＲＥ８０６におけるＲ−ＰＤＣＣＨの送信を回避しうる。ここで、ドナー基地局は、送信を控えることによって、ミュートされる。リレー基地局は、ＣＳＩ−ＲＳおよびミュート・コンフィギュレーション情報を取得すると、サブフレームのデータ部分におけるＲ−ＰＤＣＣＨ送信のために利用可能なＲＥのセットを復号しうる。
【００７０】
図９は、ドナー基地局によるＣＳＩ−ＲＳもミュートもないリソース要素（ＲＥ）のマッピング９００の例を例示する。前述したように、サブフレームは、ＴＤＭ制御領域９０８とＣＲＳ９０６のためのＲＥを含みうる。ＴＤＭ制御領域９０８では、通常のＰＤＣＣＨが送信されうる。この場合、リレー基地局は、ＣＲＳ９０６およびＴＤＭ制御領域９０８の位置に関する情報に基づいて、Ｒ−ＰＤＣＣＨの送信のために利用可能なＲＥのセットを復号しうる。繰り返すが、ＣＳＩ−ＲＳおよびミュート・コンフィギュレーションは、例えば、スロット９０２またはスロット９０４の何れかにあるか、または、これら２つのスロットに及びうるＲＥ９１０のような予め定められたリソースのセットで、リレー基地局へ伝送されうる。
【００７１】
図１０は、本開示の態様にしたがってリレー制御情報をより効率的に復号するために、例えばリレー基地局によって実行されうる動作１０００の例を例示する。１００２において、リレー基地局は、ドナー基地局によるＣＳＩ−ＲＳの送信またはミュートのうちの少なくとも１つのために使用されるリソース要素（ＲＥ）のコンフィギュレーションを決定しうる。１００４において、リレー基地局は、ドナー基地局から送信されたリレー制御情報のためのＲＥのセットを復号しうる。ここで、ＲＥのセットは、このコンフィギュレーションに少なくとも部分的に基づいて決定される。
【００７２】
図１１は、本開示の態様にしたがって、リレー基地局がリレー制御情報をより効率的に復号することを支援するために、例えばドナー基地局によって実行されうる動作１１００の例を例示する。１１０２において、ドナー基地局は、ドナー基地局によるＣＳＩ−ＲＳの送信またはミュートのうちの少なくとも１つのために使用されるリソース要素（ＲＥ）のコンフィギュレーションをリレー・ノードへシグナルしうる。１１０４において、ドナー基地局は、ＲＥのコンフィギュレーションに基づいて、サブフレームのデータ部分において、リレー・ノードへリレー制御情報を送信しうる。
【００７３】
前述したように、いくつかの場合においては、Ｒ−ＰＤＣＣＨを求める探索を行う場合、リレー基地局は、ＣＳＩ−ＲＳ送信および／またはミュートのために実際に使用されている何れかのＲＥを含む復号候補を考慮しない場合がありうる。いくつかの場合においては、リレー基地局は、ＣＳＩ−ＲＳ送信および／またはミュートのために利用可能ないずれかのＲＥを含む復号候補さえも考慮しないことがありうる。
【００７４】
前述したように、ＤＬ関連制御メッセージが第１のスロットに限定されない（そして、Ｒ−ＰＤＣＣＨは、ＤＬ関連制御メッセージであると考慮される）シナリオでは、ＣＳＩ−ＲＳおよび／またはミュートを含みうる第１のスロットにおけるＲＥを単に回避することで十分でありうる。代案として、中継を提供する基地局は、第１のスロット内にＲＥを含むＣＳＩ−ＲＳコンフィギュレーションおよび／またはミュート・コンフィギュレーションを回避しうる。
【００７５】
いくつかのシナリオでは、ＣＳＩ−ＲＳおよび／またはミュートのために使用されるリソースの再コンフィギュレーションは、リレー基地局がもはや存在していないコンフィギュレーションに依存しうるという問題を提起しうる。このシナリオに対処するために、態様にしたがって、ＣＳＩ−ＲＳ再コンフィギュレーションが、ＣＳＩ−ＲＳ無しでバックホール・サブフレームで実行されうる。代案として、ＣＳＩ−ＲＳ再コンフィギュレーションは、この再コンフィギュレーションの前後において同じＣＳＩ−ＲＳを有するバックホール・サブフレームで実行されうる。これによって、この再コンフィギュレーションは、復号効率に悪影響を与えないようになりうる。
【００７６】
前述したように、本明細書に記載された技術によって、リレー基地局は、リレー基地局が考慮しなければならない復号候補の数を制限することによって、制御情報をより効率的に復号できるようになりうる。
【００７７】
前述した方法のさまざまな動作は、ハードウェア構成要素（単数または複数）および／またはソフトウェア構成要素（単数または複数）および／またはモジュール（単数または複数）によって実行されうる。
【００７８】
開示された処理におけるステップの具体的な順序または階層は、典型的なアプローチの例であることが理解される。設計選択に基づいて、これら処理におけるステップの具体的な順序または階層は、本開示のスコープ内であることを保ちながら、再構成されうることが理解される。同伴する方法請求項は、さまざまなステップの要素を、サンプル順で示しており、示された具体的な順序または階層に限定されないことが意味される。
【００７９】
当業者であれば、情報および信号は、さまざまな異なる技術および技法のうちの何れかを用いて表されうることを理解するであろう。例えば、前述した記載を通じて参照されたデータ、命令群、指示、情報、信号、ビット、シンボル、およびチップは、電圧、電流、電磁波、磁場または磁気粒子、光場または光粒子、またはこれらの任意の組み合わせによって表されうる。
【００８０】
当業者であればさらに、本明細書で開示された実施形態に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００８１】
本明細書で開示された実施形態に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代わりに、従来技術によるプロセッサ、コントローラ、マイクロコントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００８２】
本明細書で開示された実施形態に関して記載された方法またはアルゴリズムのステップは、ハードウェアにおいて直接的に、プロセッサによって実行されるソフトウェア・モジュールによって、あるいはこれら２つの組み合わせによって具体化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００８３】
開示された実施形態の前述した記載は、当業者が、本開示の製造または利用を可能とするように提供される。これら実施形態に対するさまざまな変形例もまた、当業者には明らかであって、本明細書で定義された一般的な原理は、本開示の主旨または範囲から逸脱することなく他の例にも適用されうる。このように、本開示は、本明細書で示された実施形態に限定されるものではなく、本明細書で開示された原理および新規な特徴に一致した最も広い範囲に相当することが意図されている。
以下に本願発明の当初の特許請求の範囲に記載された発明を付記する。
［書類名］特許請求の範囲
［Ｃ１］
無線通信のための方法であって、
ドナー基地局によるチャネル状態情報−基準信号（ＣＳＩ−ＲＳ）の送信またはミュートのうちの少なくとも１つのために使用されるリソース要素（ＲＥ）のコンフィギュレーションを、リレー・ノードにおいて決定することと、
前記ドナー基地局から送信されたリレー制御情報に関するＲＥのセットを復号することと、ここで、前記ＲＥのセットは、前記コンフィギュレーションに少なくとも部分的に基づいて決定される、
を備える方法。
［Ｃ２］
前記コンフィギュレーションを決定することは、ＣＳＩ−ＲＳが前記ドナー基地局によって送信されない、ＲＥのセットを決定することを備える、Ｃ１に記載の方法。
［Ｃ３］
前記コンフィギュレーションを決定することは、前記ドナー基地局が送信を控えることによってミュートしないＲＥを決定することを備える、Ｃ１に記載の方法。
［Ｃ４］
前記コンフィギュレーションを決定することは、１または複数のシステム情報ブロック（ＳＩＢ）を復号することを備える、Ｃ１に記載の方法。
［Ｃ５］
前記１または複数のＳＩＢの位置は、別のデータ送信に関する情報を取得するために、第２の制御チャネルとは異なる第１の制御チャネルを復号することによって決定される、Ｃ４に記載の方法。
［Ｃ６］
前記第１の制御チャネルは、物理ダウンリンク制御チャネル（ＰＤＣＣＨ）であり、前記第２の制御チャネルは、中継物理ダウンリンク制御チャネル（Ｒ−ＰＤＣＣＨ）である、Ｃ５に記載の方法。
［Ｃ７］
前記コンフィギュレーションを決定することは、前記コンフィギュレーションを取得するためにユーザ機器（ＵＥ）によって使用される手順を前記リレー・ノードが用いることを備える、Ｃ１に記載の方法。
［Ｃ８］
前記コンフィギュレーションを決定することは、前記リレー・ノードおよび前記ドナー基地局において知られている、予め定められたリソースのセットにおいて、前記ドナー基地局によって送信されたコンフィギュレーション情報を復号することを備える、Ｃ１に記載の方法。
［Ｃ９］
前記コンフィギュレーションを決定することは、ＣＳＩ−ＲＳまたはミュートされたＲＥのうちの少なくとも１つを欠くサブフレームに対応するレート・マッチングを用いてコンフィギュレーション情報を復号することを備える、Ｃ１に記載の方法。
［Ｃ１０］
前記リレー・ノードが、前記コンフィギュレーション情報を有することを期待されている前後において、前記リレー・ノードによって復号されねばならない制御送信またはデータ送信のうちの少なくとも１つのために、異なるレート・マッチング・スキームが使用される、Ｃ９に記載の方法。
［Ｃ１１］
前記コンフィギュレーションを決定することは、ＣＳＩ−ＲＳおよびミュートされたＲＥを欠くサブフレームに対応するレート・マッチングを用いてコンフィギュレーション情報を復号することを備える、Ｃ９に記載の方法。
［Ｃ１２］
前記コンフィギュレーションを決定することは、ＣＳＩ−ＲＳまたはミュートのうちの少なくとも１つの少なくとも２つの異なるコンフィギュレーションに対応する少なくとも２つの異なるレート・マッチング・コンフィギュレーションを用いて、コンフィギュレーション情報を復号することを備える、Ｃ１に記載の方法。
［Ｃ１３］
無線通信のための方法であって、
ドナー基地局によるチャネル状態情報−基準信号（ＣＳＩ−ＲＳ）の送信またはミュートのうちの少なくとも１つのために使用されるリソース要素（ＲＥ）のコンフィギュレーションを、リレー・ノードへシグナルすることと、
前記ＲＥのコンフィギュレーションに基づいて、サブフレームのデータ部分で、リレー制御情報を前記リレー・ノードへ送信することと、
を備える方法。
［Ｃ１４］
前記コンフィギュレーションをシグナルすることは、前記リレー・ノードによって知ら
れている、予め定められたリソースのセットで、前記コンフィギュレーションを送信する
ことを備える、Ｃ１３に記載の方法。
［Ｃ１５］
前記コンフィギュレーションは、ＣＳＩ−ＲＳまたはミュートのうちの少なくとも１つを欠くサブフレームにおいてのみ送信される、Ｃ１３に記載の方法。
［Ｃ１６］
前記コンフィギュレーションは、ＣＳＩ−ＲＳおよびミュートを欠くサブフレームにおいてのみ送信される、Ｃ１５に記載の方法。
［Ｃ１７］
前記コンフィギュレーションをシグナルすることは、ＣＳＩ−ＲＳまたはミュートのうちの少なくとも１つを欠くバックホール・サブフレームにおいて、ＣＳＩ−ＲＳまたはミュートのうちの少なくとも１つの再コンフィギュレーションをシグナルすることを備える、Ｃ１３に記載の方法。
［Ｃ１８］
前記ＲＥのコンフィギュレーションをシグナルすることはさらに、再コンフィギュレーションの前後において同じＣＳＩ−ＲＳおよびミュート・パターンを有するバックホール・サブフレームにおいて実行されるＣＳＩ−ＲＳまたはミュートのうちの少なくとも１つの再コンフィギュレーションをシグナルすることを備える、Ｃ１７に記載の方法。
［Ｃ１９］
前記コンフィギュレーションをシグナルすることは、制御情報およびデータ・メッセージを送信することを含み、
前記データ・メッセージが前記コンフィギュレーションを含み、前記制御情報が前記データ・メッセージの位置を特定する、Ｃ１３に記載の方法。
［Ｃ２０］
無線通信のための装置であって、
ドナー基地局によるチャネル状態情報−基準信号（ＣＳＩ−ＲＳ）の送信またはミュートのうちの少なくとも１つのために使用されるリソース要素（ＲＥ）のコンフィギュレーションを、リレー・ノードにおいて決定する手段と、
前記ドナー基地局から送信されたリレー制御情報に関するＲＥのセットを復号する手段と、ここで、前記ＲＥのセットは、前記コンフィギュレーションに少なくとも部分的に基づいて決定される、
を備える装置。
［Ｃ２１］
前記コンフィギュレーションを決定する手段は、ＣＳＩ−ＲＳが前記ドナー基地局によって送信されない、ＲＥのセットを決定する手段を備える、Ｃ２０に記載の装置。
［Ｃ２２］
前記コンフィギュレーションを決定する手段は、前記ドナー基地局が送信を控えることによってミュートしないＲＥを決定する手段を備える、Ｃ２０に記載の装置。
［Ｃ２３］
前記コンフィギュレーションを決定する手段は、１または複数のシステム情報ブロック（ＳＩＢ）を復号する手段を備える、Ｃ２０に記載の装置。
［Ｃ２４］
前記１または複数のＳＩＢの位置は、別のデータ送信に関する情報を取得するために、第２の制御チャネルとは異なる第１の制御チャネルを復号することによって決定される、Ｃ２３に記載の装置。
［Ｃ２５］
前記第１の制御チャネルは、物理ダウンリンク制御チャネル（ＰＤＣＣＨ）であり、前記第２の制御チャネルは、中継物理ダウンリンク制御チャネル（Ｒ−ＰＤＣＣＨ）である、Ｃ２４に記載の装置。
［Ｃ２６］
前記コンフィギュレーションを決定する手段は、前記コンフィギュレーションを取得するためにユーザ機器（ＵＥ）によって使用される手順を、前記リレー・ノードが用いることを備える、Ｃ２０に記載の装置。
［Ｃ２７］
前記コンフィギュレーションを決定する手段は、前記リレー・ノードおよび前記ドナー基地局において知られている、予め定められたリソースのセットにおいて、前記ドナー基地局によって送信されたコンフィギュレーション情報を復号する手段を備える、Ｃ２０に記載の装置。
［Ｃ２８］
前記コンフィギュレーションを決定する手段は、ＣＳＩ−ＲＳまたはミュートされたＲＥのうちの少なくとも１つを欠くサブフレームに対応するレート・マッチングを用いてコンフィギュレーション情報を復号する手段を備える、Ｃ２０に記載の装置。
［Ｃ２９］
前記リレー・ノードが、前記コンフィギュレーション情報を有することを期待されている前後において、前記リレー・ノードによって復号されねばならない制御送信またはデータ送信のうちの少なくとも１つのために、異なるレート・マッチング・スキームが使用される、Ｃ２８に記載の装置。
［Ｃ３０］
前記コンフィギュレーションを決定する手段は、ＣＳＩ−ＲＳおよびミュートされたＲＥを欠くサブフレームに対応するレート・マッチングを用いてコンフィギュレーション情報を復号する手段を備える、Ｃ２８に記載の装置。
［Ｃ３１］
前記コンフィギュレーションを決定する手段は、ＣＳＩ−ＲＳまたはミュートのうちの少なくとも１つの少なくとも２つの異なるコンフィギュレーションに対応する少なくとも２つの異なるレート・マッチング・コンフィギュレーションを用いて、コンフィギュレーション情報を復号する手段を備える、Ｃ２０に記載の装置。
［Ｃ３２］
無線通信のための装置であって、
ドナー基地局によるチャネル状態情報−基準信号（ＣＳＩ−ＲＳ）の送信またはミュートのうちの少なくとも１つのために使用されるリソース要素（ＲＥ）のコンフィギュレーションを、リレー・ノードへシグナルする手段と、
前記ＲＥのコンフィギュレーションに基づいて、前記サブフレームのデータ部分で、リレー制御情報を前記リレー・ノードへ送信する手段と、
を備える装置。
［Ｃ３３］
前記コンフィギュレーションをシグナルする手段は、前記リレー・ノードによって知られている、予め定められたリソースのセットで、前記コンフィギュレーションを送信する手段を備える、Ｃ３２に記載の装置。
［Ｃ３４］
前記コンフィギュレーションは、ＣＳＩ−ＲＳまたはミュートのうちの少なくとも１つを欠くサブフレームにおいてのみ送信される、Ｃ３２に記載の装置。
［Ｃ３５］
前記コンフィギュレーションは、ＣＳＩ−ＲＳおよびミュートを欠くサブフレームにおいてのみ送信される、Ｃ３４に記載の装置。
［Ｃ３６］
前記コンフィギュレーションをシグナルする手段は、ＣＳＩ−ＲＳまたはミュートのうちの少なくとも１つを欠くバックホール・サブフレームにおいて、ＣＳＩ−ＲＳまたはミュートのうちの少なくとも１つの再コンフィギュレーションをシグナルする手段を備える、Ｃ３２に記載の装置。
［Ｃ３７］
前記ＲＥのコンフィギュレーションをシグナルする手段はさらに、再コンフィギュレーションの前後において同じＣＳＩ−ＲＳおよびミュート・パターンを有するバックホール・サブフレームにおいて実行されるＣＳＩ−ＲＳまたはミュートのうちの少なくとも１つの再コンフィギュレーションをシグナルする手段を備える、Ｃ３６に記載の装置。
［Ｃ３８］
前記コンフィギュレーションをシグナルする手段は、制御情報およびデータ・メッセージを送信する手段を含み、ここで、前記データ・メッセージが前記コンフィギュレーションを含み、前記制御情報が前記データ・メッセージの位置を特定する、Ｃ３２に記載の装置。
［Ｃ３９］
無線通信のための装置であって、
ドナー基地局によるチャネル状態情報−基準信号（ＣＳＩ−ＲＳ）の送信またはミュートのうちの少なくとも１つのために使用されるリソース要素（ＲＥ）のコンフィギュレーションを、リレー・ノードにおいて決定し、
前記ドナー基地局から送信されたリレー制御情報に関するＲＥのセットを復号する、
ここで、前記ＲＥのセットは、前記コンフィギュレーションに少なくとも部分的に基づいて決定される、
ように適合された少なくとも１つのプロセッサと、
前記少なくとも１つのプロセッサに接続されたメモリと、
を備える装置。
［Ｃ４０］
前記コンフィギュレーションを決定するように適合された少なくとも１つのプロセッサは、ＣＳＩ−ＲＳが前記ドナー基地局によって送信されない、ＲＥのセットを決定することを備える、Ｃ３９に記載の装置。
［Ｃ４１］
前記コンフィギュレーションを決定するように適合された少なくとも１つのプロセッサは、前記ドナー基地局が送信を控えることによってミュートしないＲＥを決定することを備える、Ｃ３９に記載の装置。
［Ｃ４２］
前記コンフィギュレーションを決定するように適合された少なくとも１つのプロセッサは、１または複数のシステム情報ブロック（ＳＩＢ）を復号することを備える、Ｃ３９に記載の装置。
［Ｃ４３］
前記１または複数のＳＩＢの位置は、別のデータ送信に関する情報を取得するために、第２の制御チャネルとは異なる第１の制御チャネルを復号することによって決定される、Ｃ４２に記載の装置。
［Ｃ４４］
前記第１の制御チャネルは、物理ダウンリンク制御チャネル（ＰＤＣＣＨ）であり、前記第２の制御チャネルは、中継物理ダウンリンク制御チャネル（Ｒ−ＰＤＣＣＨ）である、Ｃ４３に記載の装置。
［Ｃ４５］
前記コンフィギュレーションを決定するように適合された少なくとも１つのプロセッサは、前記コンフィギュレーションを取得するためにユーザ機器（ＵＥ）によって使用される手順を前記リレー・ノードが用いることを備える、Ｃ３９に記載の装置。
［Ｃ４６］
前記コンフィギュレーションを決定するように適合された少なくとも１つのプロセッサは、前記リレー・ノードおよび前記ドナー基地局において知られている、予め定められたリソースのセットにおいて、前記ドナー基地局によって送信されたコンフィギュレーション情報を復号することを備える、Ｃ３９に記載の装置。
［Ｃ４７］
前記コンフィギュレーションを決定するように適合された少なくとも１つのプロセッサは、ＣＳＩ−ＲＳまたはミュートされたＲＥのうちの少なくとも１つを欠くサブフレームに対応するレート・マッチングを用いてコンフィギュレーション情報を復号することを備える、Ｃ３９に記載の装置。
［Ｃ４８］
前記リレー・ノードが、前記コンフィギュレーション情報を有することを期待されている前後において、前記リレー・ノードによって復号されねばならない制御送信またはデータ送信のうちの少なくとも１つのために、異なるレート・マッチング・スキームが使用される、Ｃ４７に記載の装置。
［Ｃ４９］
前記コンフィギュレーションを決定するように適合された少なくとも１つのプロセッサは、ＣＳＩ−ＲＳおよびミュートされたＲＥを欠くサブフレームに対応するレート・マッチングを用いてコンフィギュレーション情報を復号することを備える、Ｃ４７に記載の装置。
［Ｃ５０］
前記コンフィギュレーションを決定するように適合された少なくとも１つのプロセッサは、ＣＳＩ−ＲＳまたはミュートのうちの少なくとも１つの少なくとも２つの異なるコンフィギュレーションに対応する少なくとも２つの異なるレート・マッチング・コンフィギュレーションを用いて、コンフィギュレーション情報を復号することを備える、Ｃ３９に記載の装置。
［Ｃ５１］
無線通信のための装置であって、
ドナー基地局によるチャネル状態情報−基準信号（ＣＳＩ−ＲＳ）の送信またはミュートのうちの少なくとも１つのために使用されるリソース要素（ＲＥ）のコンフィギュレーションを、リレー・ノードへシグナルし、
前記ＲＥのコンフィギュレーションに基づいて、サブフレームのデータ部分で、リレー制御情報を前記リレー・ノードへ送信する
ように適合された少なくとも１つのプロセッサと、
前記少なくとも１つのプロセッサに接続されたメモリと、
を備える装置。
［Ｃ５２］
前記コンフィギュレーションをシグナルするように適合された少なくとも１つのプロセッサは、前記リレー・ノードによって知られている、予め定められたリソースのセットで、前記コンフィギュレーションを送信することを備える、Ｃ５１に記載の装置。
［Ｃ５３］
前記コンフィギュレーションは、ＣＳＩ−ＲＳまたはミュートのうちの少なくとも１つを欠くサブフレームにおいてのみ送信される、Ｃ５１に記載の装置。
［Ｃ５４］
前記コンフィギュレーションは、ＣＳＩ−ＲＳおよびミュートを欠くサブフレームにおいてのみ送信される、Ｃ５３に記載の装置。
［Ｃ５５］
前記コンフィギュレーションをシグナルするように適合された少なくとも１つのプロセッサは、ＣＳＩ−ＲＳまたはミュートのうちの少なくとも１つを欠くバックホール・サブフレームにおいて、ＣＳＩ−ＲＳまたはミュートのうちの少なくとも１つの再コンフィギュレーションをシグナルすることを備える、Ｃ５１に記載の装置。
［Ｃ５６］
前記ＲＥのコンフィギュレーションをシグナルするように適合された少なくとも１つのプロセッサはさらに、再コンフィギュレーションの前後において同じＣＳＩ−ＲＳおよびミュート・パターンを有するバックホール・サブフレームにおいて実行されるＣＳＩ−ＲＳまたはミュートのうちの少なくとも１つの再コンフィギュレーションをシグナルすることを備える、Ｃ５５に記載の装置。
［Ｃ５７］
前記コンフィギュレーションをシグナルするように適合された少なくとも１つのプロセッサは、制御情報およびデータ・メッセージを送信することを含み、ここで、前記データ・メッセージが前記コンフィギュレーションを含み、前記制御情報が前記データ・メッセージの位置を特定する、Ｃ５１に記載の装置。
［Ｃ５８］
格納された命令群を有するコンピュータ読取可能な媒体を備えるコンピュータ・プログラム製品であって、前記命令群は、
ドナー基地局によるチャネル状態情報−基準信号（ＣＳＩ−ＲＳ）の送信またはミュートのうちの少なくとも１つのために使用されるリソース要素（ＲＥ）のコンフィギュレーションを、リレー・ノードにおいて決定することと、
前記ドナー基地局から送信されたリレー制御情報に関する前記ＲＥのセットを復号することと、ここで、前記ＲＥのセットは、前記コンフィギュレーションに少なくとも部分的に基づいて決定される、
のために１または複数のプロセッサによって実行可能である、コンピュータ・プログラム製品。
［Ｃ５９］
前記コンフィギュレーションを決定することは、ＣＳＩ−ＲＳが前記ドナー基地局によって送信されない、ＲＥのセットを決定することを備える、Ｃ５８に記載のコンピュータ・プログラム製品。
［Ｃ６０］
前記コンフィギュレーションを決定することは、前記ドナー基地局が送信を控えることによってミュートしないＲＥを決定することを備える、Ｃ５８に記載のコンピュータ・プログラム製品。
［Ｃ６１］
前記コンフィギュレーションを決定することは、１または複数のシステム情報ブロック（ＳＩＢ）を復号することを備える、Ｃ５８に記載のコンピュータ・プログラム製品。
［Ｃ６２］
前記１または複数のＳＩＢの位置は、別のデータ送信に関する情報を取得するために、第２の制御チャネルとは異なる第１の制御チャネルを復号することによって決定される、Ｃ６１に記載のコンピュータ・プログラム製品。
［Ｃ６３］
前記第１の制御チャネルは、物理ダウンリンク制御チャネル（ＰＤＣＣＨ）であり、前記第２の制御チャネルは、中継物理ダウンリンク制御チャネル（Ｒ−ＰＤＣＣＨ）である、Ｃ６２に記載のコンピュータ・プログラム製品。
［Ｃ６４］
前記コンフィギュレーションを決定することは、前記コンフィギュレーションを取得するためにユーザ機器（ＵＥ）によって使用される手順を前記リレー・ノードが用いることを備える、Ｃ５８に記載のコンピュータ・プログラム製品。
［Ｃ６５］
前記コンフィギュレーションを決定することは、前記リレー・ノードおよび前記ドナー基地局において知られている、予め定められたリソースのセットにおいて、前記ドナー基地局によって送信されたコンフィギュレーション情報を復号することを備える、Ｃ５８に記載のコンピュータ・プログラム製品。
［Ｃ６６］
前記コンフィギュレーションを決定することは、ＣＳＩ−ＲＳまたはミュートされたＲＥのうちの少なくとも１つを欠くサブフレームに対応するレート・マッチングを用いてコンフィギュレーション情報を復号することを備える、Ｃ５８に記載のコンピュータ・プログラム製品。
［Ｃ６７］
前記リレー・ノードが、前記コンフィギュレーション情報を有することを期待されている前後において、前記リレー・ノードによって復号されねばならない制御送信またはデータ送信のうちの少なくとも１つのために、異なるレート・マッチング・スキームが使用される、Ｃ６６に記載のコンピュータ・プログラム製品。
［Ｃ６８］
前記コンフィギュレーションを決定することは、ＣＳＩ−ＲＳおよびミュートされたＲＥを欠くサブフレームに対応するレート・マッチングを用いてコンフィギュレーション情報を復号することを備える、Ｃ６６に記載のコンピュータ・プログラム製品。
［Ｃ６９］
前記コンフィギュレーションを決定することは、ＣＳＩ−ＲＳまたはミュートのうちの少なくとも１つの少なくとも２つの異なるコンフィギュレーションに対応する少なくとも２つの異なるレート・マッチング・コンフィギュレーションを用いて、コンフィギュレーション情報を復号することを備える、Ｃ５８に記載のコンピュータ・プログラム製品。
［Ｃ７０］
格納された命令群を有するコンピュータ読取可能な媒体を備えるコンピュータ・プログラム製品であって、前記命令群は、
ドナー基地局によるチャネル状態情報−基準信号（ＣＳＩ−ＲＳ）の送信またはミュートのうちの少なくとも１つのために使用されるリソース要素（ＲＥ）のコンフィギュレーションを、リレー・ノードへシグナルすることと、
前記ＲＥのコンフィギュレーションに基づいて、サブフレームのデータ部分で、リレー制御情報を前記リレー・ノードへ送信することと、
のために１または複数のプロセッサによって実行可能である、コンピュータ・プログラム製品。
［Ｃ７１］
前記コンフィギュレーションをシグナルすることは、前記リレー・ノードによって知られている、予め定められたリソースのセットで、前記コンフィギュレーションを送信することを備える、Ｃ７０に記載のコンピュータ・プログラム製品。
［Ｃ７２］
前記コンフィギュレーションは、ＣＳＩ−ＲＳまたはミュートのうちの少なくとも１つを欠くサブフレームにおいてのみ送信される、Ｃ７０に記載のコンピュータ・プログラム製品。
［Ｃ７３］
前記コンフィギュレーションは、ＣＳＩ−ＲＳおよびミュートを欠くサブフレームにおいてのみ送信される、Ｃ７２に記載のコンピュータ・プログラム製品。
［Ｃ７４］
前記コンフィギュレーションをシグナルすることは、ＣＳＩ−ＲＳまたはミュートのうちの少なくとも１つを欠くバックホール・サブフレームにおいて、ＣＳＩ−ＲＳまたはミュートのうちの少なくとも１つの再コンフィギュレーションをシグナルすることを備える、Ｃ７０に記載のコンピュータ・プログラム製品。
［Ｃ７５］
前記ＲＥのコンフィギュレーションをシグナルすることはさらに、再コンフィギュレーションの前後において同じＣＳＩ−ＲＳおよびミュート・パターンを有するバックホール・サブフレームにおいて実行されるＣＳＩ−ＲＳまたはミュートのうちの少なくとも１つの再コンフィギュレーションをシグナルすることを備える、Ｃ７４に記載のコンピュータ・プログラム製品。
［Ｃ７６］
前記コンフィギュレーションをシグナルすることは、制御情報およびデータ・メッセージを送信することを含み、ここで、前記データ・メッセージが前記コンフィギュレーションを含み、前記制御情報が前記データ・メッセージの位置を特定する、Ｃ７０に記載のコンピュータ・プログラム製品。
【図１】
0005657804.tif 000002
【図２】
0005657804.tif 000003
【図３】
0005657804.tif 000004
【図４】
0005657804.tif 000005
【図５】
0005657804.tif 000006
【図６】
0005657804.tif 000007
【図７】
0005657804.tif 000008
【図８】
0005657804.tif 000009
【図９】
0005657804.tif 000010
【図１０】
0005657804.tif 000011
【図１１】
0005657804.tif 000012